(57)【要約】【課題】  各ホールを巡廻している途中に雨が降って、座席前面に設けた風防が雨水で濡れた場合に風防前方の視界を良好にすることができるゴルフ用カートを提供する。【解決手段】  座席１４を備えた車体１２と、所定の駆動装置により駆動されるタイヤ１２Ａと、ゴルフバッグ３０を積載可能な荷台２４と、座席１４上方を覆うルーフ２６と、座席１４前面に設けられた透明風防２８とを備えて成るゴルフ用カート１０において、風防２８外面の雨水を拭き取るワイパー装置４０を設ける。【選択図】          図１
0003108744.tif 000002
【実用新案登録請求の範囲】
【請求項１】
座席を備えた車体と、所定の駆動装置により駆動されるタイヤと、ゴルフバッグを積載可能な荷台と、前記座席上方を覆うルーフと、前記座席前面に設けられた透明風防とを備えて成るゴルフ用カートにおいて、
前記風防外面の雨水を拭き取るワイパー装置を設けたことを特徴とするゴルフ用カート。
【請求項２】
前記ワイパー装置はワイパーとこのワイパーを動作させるための操作部を備え、該操作部を前記風防内側に設けたことを特徴とする請求項１のゴルフ用カート。
【請求項３】
前記ワイパー装置は、相互に連結された複数のワイパーから構成されていることを特徴とする請求項２のゴルフ用カート。
【請求項４】
前記ワイパー装置は、中央に位置する前記ワイパーに対し、その両側に位置する前記ワイパーの端部が低く傾斜していることを特徴とする請求項３のゴルフ用カート。
【考案の詳細な説明】
【技術分野】
【０００１】
本考案は、座席を備えた車体と、所定の駆動装置により駆動されるタイヤと、ゴルフバッグを積載可能な荷台と、座席上方を覆うルーフと、座席前面に設けられた透明風防とを備えて成るゴルフ用カートに関するものである。
【背景技術】
【０００２】
従来よりゴルフ場では、複数台のゴルフ用カートが設けられており、各プレイヤーのゴルフバッグをゴルフ用カートに積載して、プレイヤーがゴルフ用カートを運転して各ホールを巡廻するようになっている。該ゴルフ用カートは、ゴルフプレーを行う人が搭乗するための座席を備えた車体と、バッテリーにて駆動するタイヤと、ゴルフバッグを積載可能な荷台とを備えている。また、ゴルフ用カートには、座席の前面に風雨を防止するための透明な風防が設けられており、上方には屋根が設けられている。
【０００３】
このような、ゴルフ用カートを用いて各ホールを巡廻している途中に雨が降った場合、搭乗者は屋根によって雨水で濡れないようになっているが、荷台上に積載されたゴルフバッグが雨水で濡れてしまう。そこで、雨除けカバーの端部を座席の後部の上方位置にカバー固定部材にて固定し、荷台に複数積載したゴルフバッグを、雨除けカバーで囲んでいた。これにより、荷台に積載した複数のゴルフバッグが雨水で濡れてしまうのを防止し保護していた（特許文献１参照）。
【０００４】
【特許文献１】特開平１１−２１６２１５号公報
【考案の開示】
【考案が解決しようとする課題】
【０００５】
しかしながら、従来のゴルフ用カートは各ホールを巡廻している途中に雨が降った場合、屋根で搭乗者が雨水で濡れてしまうのを防止すると共に、雨除けカバーで荷台に積載したゴルフバッグが雨水で濡れてしまうのを防止していたが、座席前面に設けられた風防は搭乗者が雨で濡れてしまうのを防止できるものの、風防は雨で濡れてしまう。このため、ゴルフ用カートを運転するプレイヤーは風防前方が見え難くなってしまうと言う問題があった。
【０００６】
本考案は、係る従来技術の課題を解決するために成されたものであり、各ホールを巡廻している途中に雨が降って、座席前面に設けた風防が雨水で濡れた場合に風防前方の視界を良好にすることができるゴルフ用カートを提供することを目的とする。
【課題を解決するための手段】
【０００７】
即ち、本考案のゴルフ用カートは、座席を備えた車体と、所定の駆動装置により駆動されるタイヤと、ゴルフバッグを積載可能な荷台と、座席上方を覆うルーフと、座席前面に設けられた透明風防とを備えて成るものであって、風防外面の雨水を拭き取るワイパー装置を設けたことを特徴とする。
【０００８】
また、請求項２の考案のゴルフ用カートは、上記に加えて、ワイパー装置はワイパーとこのワイパーを動作させるための操作部を備え、この操作部を風防内側に設けたことを特徴とする。
【０００９】
また、請求項３の考案のゴルフ用カートは、請求項２において、ワイパー装置は、相互に連結された複数のワイパーから構成されていることを特徴とする。
【００１０】
また、請求項４の考案のゴルフ用カートは、請求項３において、ワイパー装置は、中央に位置するワイパーに対し、その両側に位置するワイパーの端部が低く傾斜していることを特徴とする。
【考案の効果】
【００１１】
本考案によれば、座席を備えた車体と、所定の駆動装置により駆動されるタイヤと、ゴルフバッグを積載可能な荷台と、座席上方を覆うルーフと、座席前面に設けられた透明風防とを備えて成るゴルフ用カートにおいて、風防外面の雨水を拭き取るワイパー装置を設けたので、ゴルフ用カートの走行中風防に雨や霧などの水滴が付着した場合でも、ワイパー装置で掻いて風防を綺麗に拭き取ることができる。これにより、ゴルフ用カート内から前方の視界が良好となる。従って、雨が降っているときでもゴルフ用カートの安全運転を行うことができるようになるものである。
【００１２】
また、請求項２の考案によれば、上記に加えて、ワイパー装置はワイパーとこのワイパーを動作させるための操作部を備え、この操作部を風防内側に設けたので、ゴルフ用カートの外側に手を出さずにワイパーを動作させることができる。これにより、雨が降っているときでも手を濡らさずにワイパーを動作させることができる。従って、雨が降っているときでも風防に付着した雨水をゴルフ用カート内から綺麗に拭き取ることができ、ゴルフ用カートの利便性を大幅に向上させることができるようになるものである。
【００１３】
特に、操作部を手で操作するだけでワイパーを動作させることができるので、ワイパー装置の動作に電力を使用しなくても済む。これにより、例えばゴルフ用カートの駆動装置をバッテリーで駆動している場合でも、そのバッテリーの蓄電量が減少してしまうのを確実に防止することができる。従って、ワイパーを動作させてもゴルフ用カートの走行距離が減少することがないので、ゴルフ用カートの利便性を更に向上させることができるようになるものである。
【００１４】
また、請求項３の考案によれば、請求項２において、ワイパー装置は、相互に連結された複数のワイパーから構成されているので、複数のワイパーを一度に動作させることができる。これにより、操作部を一回上下動作させるだけで風防前側全面の雨水を一度で拭き取ることができる。従って、ワイパー装置の操作性を大幅に向上させることができるようになるものである。
【００１５】
また、請求項４の考案によれば、請求項３において、ワイパー装置は、中央に位置するワイパーに対し、その両側に位置するワイパーの端部が低く傾斜しているので、風防に付着した雨水をワイパーの両端側に流すことができる。これにより、風防の中央に雨水が溜まってしまうのを防止することができる。従って、前方の視界を極めて良好にすることができるので、雨が降っているときでもゴルフ用カートの安全運転を行うことができるようになるものである。
【考案を実施するための最良の形態】
【００１６】
本考案は、ゴルフ用カートの前面に設けられた風防に雨水が付着して前方が見えなくなってしまうのを防止することを特徴とする。風防の前方が雨水で見えなくなってしまうのを防止するという目的を、風防に設けたワイパーを手で動作させるだけの簡単な構造で実現した。
【実施例１】
【００１７】
次に、図面に基づき本考案の実施の形態を詳述する。図１は本考案の一実施例を示すゴルフ用カート１０の側面図、図２は本考案のゴルフ用カート１０を構成する風防２８の斜視図、図３は本考案のゴルフ用カート１０を構成する風防２８の裏面図、図４は同図３のゴルフ用カート１０を構成する風防２８の側面図をそれぞれ示している。
【００１８】
ゴルフ用カート１０は、図１に示すように車体１２の前後位置に図示しない駆動装置や、動力伝達機構により駆動されるタイヤ１２Ａがそれぞれ２個ずつ設けられている。この車体１２内部には図示しないがタイヤを駆動するための電動式の駆動装置や動力伝達機構などが搭載され、この駆動装置によってゴルフ用カート１０は駆動される。
【００１９】
車体１２にはプレイヤーが着座する座席１４が設けられており、この座席１４は前部に設けられた前部座席１４Ａと、後部に設けられた後部座席１４Ｂとから構成されている。両座席１４Ａ、１４Ｂは、左右両側の何れかの方向からも乗降できるように両側面が開放されている。また、降雨時などには両座席１４Ａ、１４Ｂに乗ったプレイヤーが濡れてしまうのを防止するため、図示しない透明ビニール製などのカーテン部材にて両側面を塞ぐことができるようになっている。
【００２０】
前部座席１４Ａの一部には運転席１６が設けられており、この運転席１６にはハンドル１８、アクセル２０、ブレーキ２２など運転操作に必要な機構が装備されている。また、後部座席１４Ｂの後方には、複数のゴルフバッグ３０を積載可能な荷台２４が設けられている。この荷台２４には、図示しない保持部材が縦設してあり、この保持部材によって複数のゴルフバッグ３０が斜めに立て掛けた状態で保持される。尚、座席１４上方には座席１４を覆い風雨などを防止するためのルーフ２６が設けられている。
【００２１】
座席１４（運転席１６を含む）の前面（運転席１６の反対側の面）には、ルーフ２６同様座席１４への風雨などを防止するための板状の風防２８が設けられている。該風防２８は、アクリル板、合成樹脂板、或いは、ガラス板などの透明風防２８にて構成されており、この透明風防２８を通して運転席１６から前方を視認できるようになっている。
【００２２】
該風防２８には、風防２８外面（前面）の雨水を拭き取るためのワイパー装置４０が設けられている。このワイパー装置４０は、図２に示すようにワイパー４６と、このワイパー４６を動作させるための操作部４４とから構成されている。ワイパー４６は、風防２８前面に複数（実施例では三個）設けられると共に、操作部４４は風防２８内側（座席１４側）に設けられている。
【００２３】
風防２８周囲には、風防の周囲を囲むようにリング状の支持部材２８Ａが設けられており、この支持部材２８Ａに枠部材４２が係合されている。該枠部材４２は、支持部材２８Ａに支持されて、略水平に上下動できるように構成されている。この場合、枠部材４２はボールベアリング（図示せず）などによって支持部材２８Ａに支持されており、これによって枠部材４２は略水平に円滑に上下動できるように構成されている。
【００２４】
そして、枠部材４２に複数のワイパー４６が取り付けられると共に、操作部４４が設けられている。複数のワイパー４６は、支持部材２８Ａにて相互に連結され、略一列に連なっている。相互に隣接するワイパー４６は、少許（１．０ｃｍ〜２．０ｃｍ）重複して支持部材２８Ａに取り付けられている。該ワイパー装置４０は、図示しないが通常風防２８の上側（ルーフ２６側）に位置して保持され、使用時は上下動できるように構成されている。
【００２５】
複数のワイパー４６は、中央のワイパー４６が略水平に設けられると共に、両端のワイパー４６は、この中央のワイパー４６の下側に位置している。また、両端のワイパー４６は、中央のワイパー４６側を高く離間側を低く傾斜した状態で取り付けられている。この場合、複数のワイパー４６は、中央に位置するワイパー４６に対して、両側に位置するワイパー４６の端部側を低く傾斜させている。即ち、三個連結した各ワイパー４６の中央を高く、両端部を低く傾斜させている。また、両端のワイパー４６の中央側は、中央のワイパー４６に対して少許離間、若しくは、略接して取り付けられている。
【００２６】
そして、複数のワイパー４６が連結された状態で、ワイパー４６の両端は略風防２８の全幅に渡る長さを呈している。これにより、各ワイパー４６間の隙間を無くし、風防２８全幅の雨水を拭き取れるように構成している。尚、ワイパー４６は、４〜５人乗りの一般的な乗用自動車（図示せず）に使用されている一般的なワイパーが用いられる。
【００２７】
前記操作部４４は図３に示すように風防２８の内側全体を言い、この操作部４４の何れかの位置を手で持って上下動させることにより、枠部材４２が支持部材２８Ａに支持された状態で略水平に上下動するように構成されている。また、操作部４４の略中央には手触りのよい弾性を有する合皮性の操作部材４４Ａが設けられている。そして、ワイパー４６を動作させる際は、操作部材４４Ａを手で持って上下動させればワイパー４６を上下動させることができる。また、前述した如きワイパー４６の上下動は、操作部４４の一端から他端までの何れかの箇所を手で持って上下動させることによりワイパー４６を上下動させることもできる。
【００２８】
次に、図４を参照してワイパー４６の動作を説明する。まず、ゴルフのプレー中、各ホールを巡廻している途中に雨が降り、風防２８が雨水で濡れて運転席１６から前方が視認し難くなった場合、図中矢印で示すようにゴルフ用カート１０の運転手或いは同乗者が操作部材４４Ａを手で持ってワイパー４６を上下動させる。該操作部材４４Ａを上下動させることによって、風防２８前面の雨水をワイパー装置４０のワイパー４６で掻いて綺麗に拭き取ることができる。このとき、ワイパー装置４０にはワイパー４６を複数設けているので、ワイパー装置４０を一回上下動させるだけで、風防２８外面（前面）全体の雨水を拭き取ることができる。これにより、ゴルフ用カート１０の座席１４から前方の視界を極めて良好にすることができる。
【００２９】
このように、ゴルフ用カート１０は、座席１４の前面に設けられた透明風防２８外面の雨水を拭き取るワイパー装置４０を設けているので、ゴルフ用カート１０の走行中風防２８に雨や霧などの水滴が付着した場合でも、ワイパー装置４０で掻いて風防２８を綺麗に拭き取ることができる。これにより、ゴルフ用カート１０内からの前方の視界を極めて良好にすることができる。従って、雨が降っているときでもゴルフ用カート１０の安全運転を行うことができるようになる。
【００３０】
また、ワイパー装置４０は、ワイパー４６とこのワイパー４６を動作させるための操作部４４を備えている。この場合、操作部４４を風防２８内側に設けているので、ゴルフ用カート１０の外側に手を出さずにワイパー４６を上下動作させることができる。これにより、ゴルフのプレー中に雨が降った場合でも手を濡らさずにワイパー４６を動作させることができる。従って、雨が降っているときでも風防２８に付着した雨水を、ゴルフ用カート１０内から綺麗に拭き取ることができる。
【００３１】
また、操作部４４を手で操作するだけでワイパー４６を上下動させることができるので、ワイパー装置４０の動作に電力を使用しなくてもワイパー４６を上下動させることができる。これにより、ゴルフ用カート１０の駆動装置をバッテリーで駆動している場合でも、そのバッテリーの蓄電量が減少してしまうのを防止することができる。従って、ワイパー４６を動作させてもゴルフ用カート１０の走行距離が減少してしまうことがないので、安心してワイパー装置４０を使用することができる。
【００３２】
また、ワイパー装置４０は、相互に連結された複数のワイパー４６にて構成しているので、複数のワイパー４６を一度に動作させることができる。これにより、操作部４４を一回上下動させるだけで風防２８の前側全面の雨水を一度で拭き取ることができる。従って、ワイパー装置４０の操作性を大幅に向上させることができるようになる。
【００３３】
また、ワイパー装置４０は、中央に位置するワイパー４６の、両側に位置するワイパー４６端部を中央側に対して低く傾斜しているので、風防２８に付着した雨水をワイパー４６の両端に流すことができる。これにより、風防２８の中央に雨水が溜まってしまうのを防止することができる。この場合、各ワイパー４６に雨水が溜まらないので、座席１４（運転席１６を含む）からの前方の視界を極めて良好にすることができる。これにより、雨が降っているときでもゴルフ用カート１０の安全運転を行うことができるようになる。
【００３４】
尚、実施例ではワイパー装置４０は、中央に位置するワイパー４６に対し、その両側に位置するワイパー４６の端部側を低く傾斜させたが、ワイパー装置４０は各ワイパー４６全体をどちらか一側から他側に向かって低く傾斜させても良い。これにより、ワイパー４６に雨水が溜まってしまうのを、更に溜まり難くすることができる。
【００３５】
また、ゴルフ用カート１０の構造を説明したが、他の構造のゴルフ用カート１０であっても本発明は有効である。勿論本発明は、上記実施例のみに限定されるものではなく、このゴルフ用カート１０の趣旨を逸脱しない範囲で他の様々な変更を行っても本発明は有効である。
【図面の簡単な説明】
【００３６】
【図１】本考案の一実施例を示すゴルフ用カートの側面図である（実施例１）。
【図２】本考案のゴルフ用カートを構成する風防の斜視図である。
【図３】本考案のゴルフ用カートを構成する風防の裏面図である。
【図４】同図３のゴルフ用カートを構成する風防の側面図である。
【符号の説明】
【００３７】
１０  ゴルフ用カート
１２  車体
１２Ａ  タイヤ
１４  座席
１４Ａ  前部座席
１４Ｂ  後部座席
１６  運転席
１８  ハンドル
２０  アクセル
２２  ブレーキ
２４  荷台
２６  ルーフ
２８  風防
２８Ａ  支持部材
３０  ゴルフバッグ
４０  ワイパー装置
４２  枠部材
４４  操作部
４４Ａ  操作部材
４６  ワイパー
【図１】
0003108744.tif 000003
【図２】
0003108744.tif 000004
【図３】
0003108744.tif 000005
【図４】
0003108744.tif 000006